(57)【要約】【課題】失禁用パンツに吸収性パッドからなる吸水性部材をパンツ本体に縫着する際、ミシンの穿孔穴や縫目等から尿などの体液が、股部用生地側に伝播し、滲み出すような現象を阻止し、且つ股部の汚れを防止することである。【解決手段】吸水性パッドの側方部及び裏面側を防水性生地で包囲して失禁用部材を形成し、且つ同部材の前、後端縁部に夫々分離片を縫着し、更に股部用生地の前、後端部に前身及び後身頃用生地を夫々重合し、更に撥水性細幅生地による分離片並びに遮断片を順次重合し、これらの生地を一体的に重合、縫着して裏返しして失禁用部材を股部の内面に位置するように構成したものである。【選択図】　　　　　図１
2004105485.tif 000002
【特許請求の範囲】
【請求項１】
前後身頃と股下布と股下布に載置固定されたシート状をなす吸水性パッドからなるパンツにおいて、撥水性を有する防水シートからなるテープ状の分離片の長手方向端縁部を前記吸水パッドの前後端部に重ねて縫合し、さらに撥水性を有する防水シートからなるテープ状であって前記縫合部を覆う遮断片の長手方向端縁部を分離片と身頃生地又は股下布との間に重ね、前記縫合部の対辺側縁部を縫合によりパンツと一体化したことを特徴とする失禁用パンツ。
【請求項２】
前記吸水性パッドにおいてシート状をなす吸水部材の肌側の面上に撥水性を有する防水シートを重合しその両側縁部を縫合し筒状体を形成し、前記筒状体を内外裏返して前記吸収部材の肌側を表に出し吸収部材の左右両側縁を防水シートで包み込み、さらに前記筒状体の前後端縁開口部を防水テープにて包被縫合して構成した請求項１に記載の失禁用パンツ。
【請求項３】
吸水性パッドに接続、縫着した撥水性分離片の幅寸法よりも遮断片の幅寸法の方をより幅広としたことを特徴とする請求項１記載の失禁用パンツ。
【請求項４】
前記テープ状の分離片と前記テープ状の遮断片は一枚の生地で構成され前記吸水性パッドとの縫合部側で縫合後に二つ折りされたことを特徴とする請求項１に記載の失禁用パンツ
【発明の詳細な説明】
【０００１】
【発明の属する技術分野】
本発明は、吸水性パッドをパンツの内面に装着する際、分離片を介して装着することにより、ミシンの穿孔穴や縫目から尿などの体液が伝播し、滲み出す現象を未然に防止できるようにした失禁用パンツに関するものである。
【０００２】
【従来の技術】
従来は、例えば実用新案登録第３０３２２０３号や実用新案登録第３０１０５６３号、実開平７−２８９０３号等の各公報においては、いずれも吸水性パッドを直接、股部用生地の前、後身側に縫着した失禁用パンツ等が記載されているのである。
【０００３】
【発明が解決しようとする課題】
従って吸水性パッドを直接、股部用生地に縫着した場合には、ミシンの穿孔穴やミシン糸から尿などの体液が伝播し、滲み出してくる恐れがあり、しかもパンツの内面側に滲み出してパンツが汚れる原因となり、不快感が募って着用感も極めて悪化するという欠点があった。
【０００４】
【課題を解決するための手段】
本発明では上記の課題を解決するために、吸水性パッドからなる失禁用部材に撥水性細幅状生地による分離片を縫着し、同分離片を股部用生地側に接続、縫着することにより、ミシンの穿孔穴やミシン糸或いは縫目から尿などの体液が、直接股部用生地側に伝播し、滲み出すような現象が阻止され、さらには遮断片により分離片と失禁用部材縫合部の縫目からからの滲み出しも防止するものである。よってパンツ自体が従来のように汚れる恐れもなくなり、清潔でしかも着用感の優れた失禁用パンツが得られるようにしたものである。
【０００５】
【発明の実施の形態】
本発明における失禁用パンツの実施例について、失禁用ショーツを例に以下説明する。図１において１は失禁用ショーツで前身頃２、後身頃３及び股部４から形成され、５は股部４の内面に装着した失禁用部材、７は伸縮性に富んだ細幅状のウエストバンドで腰廻り８の表面側に適宜縫着してあり、９は伸縮性に富んだ細幅状の裾廻り用テープで裾廻り部１０の表面側に適宜縫着してある。尚、図７において１１は前身頃用生地、１２は後身頃用生地、１３は股部用生地である。
【０００６】
図２及び図１１において１５は多層構造の吸水性パッドで、肌側に直接接触する起毛生地１７と不織布１８により構成されており、且つ起毛生地１７及び不織布１８は、撥水処理を施したミシン糸を介して適宜の模様状で且つキルティング状に一体的に重合、縫着１９してある。また前記不織布１８の裏面側に防水性生地２０が位置しており、同防水性生地２０を不織布１８の裏面側に重合、縫着する手段としては、先ず図３の如く前記起毛生地１７上に防水性生地２０を戴置し、次いで同生地２０の両側方部を起毛生地１７及び不織布１８と共に一体的に縫着２１、２１するのである。
【０００７】
次いで前記防水性生地２０と吸水性パッド１５を夫々裏返しすることにより、図４の如く起毛生地１７及び不織布１８の側方部が防水性生地２０により包囲され、且つ不織布１８の裏面側に防水性生地２０が位置するのである。次いで図５、図１１如く、起毛生地１７、不織布１８及び防水性生地２０の前身頃側端縁部２２及び後身頃側端縁部２３の端縁側に夫々撥水性のテープ生地２４、２５を縫着２６、２７し、且つ同テープ生地２４、２５の端縁部を図５の如く夫々裏面側に折り曲げて適宜に重合、縫着２８するもので、このようにして失禁用部材５が形成されるのである。
【０００８】
次いで図６、図１１の如く、起毛生地１７、不織布１８及び防水性生地２０の前、後身側の端縁部に夫々設けた撥水性テープ生地２４、２５の裏面側に更に細幅状生地で且つ撥水性の分離片３１、３２を夫々縫着３３，３４するのである。
【０００９】
次いで失禁用部材５を股部４の内面に装着する手段について以下説明する。先ず失禁用部材５の前身側端縁部を股部４の内面側に装着するにあたり、図８の如く股部用生地１３（生地の表面を表側に位置させる）の前身側端縁部３７上に前身頃用生地１１（生地の表側を裏面側に位置させる）の下方端縁部３８を重合し、更に同下方端縁部３８上に失禁用部材５に設けてある分離片３１の前身頃側端縁部４０を重合し、更に同端縁部４０上に細幅生地状の遮断片４１の前身頃側端縁部４２を重合し、これら股部用生地１３、前身頃用生地１１、分離片３１及び遮断片４１の夫々の前身側端縁部が重合された状態で、これらの重合部を若干引っ張りながら、且つ寸法を揃えた状態で縫着４５するのである。
【００１０】
続いて図９の如く股部用生地１３（生地の表面を表側に位置させる）の後身側端縁部５０上に後身頃用生地１２（生地の表側を裏面側に位置させる）の下方端縁部５１を重合し、更に同下方端縁部５１上に失禁用部材５に設けてある分離片３２の後身頃側端縁部５３を重合し、更に同端縁部５３上に細幅生地による遮断片５５の前身頃側端縁部５６を重合し、これら股部用生地１３、後身頃用生地１１、分離片３２及び遮断片５５の夫々の後身端縁部が重合された状態で、これらの重合部を若干引っ張りながら、且つ寸法を揃えた状態で縫着５７するのである。次いで失禁用部材５、分離片３１、３２、遮断片４１、５５及び股部用生地１３を夫々反転し、裏返しすることにより、図１０の如く、股部４の内面側に失禁用部材５が装着された失禁用ショーツ１が得られるのである。
【００１１】
尚、図１０の如く、前身頃用生地１１、股部用生地１３及び後身頃用生地１２の夫々の生地表面側で、且つ両側端縁部に沿って通常の手段により、細幅状の伸縮性テープ生地９、９を縫着６０、６０し、且つ前記分離片３１、３２及び遮断片４１、５５の両端縁部も同時に一体的に縫着６０、６０されるのである。更に前身頃用生地１１の側縁部６２、６２と後身頃用生地１２の側縁部６５、６５を通常の手段で夫々縫着６７、６８し、更に細幅状のウエストバンドを腰廻り８の表面側に適宜縫着することにより、図１の如き失禁用ショーツ１が形成されるのである。
【００１２】
尚、前記多層構造の吸水性パッド１５について、肌側に直接接触する起毛生地１７は、ポリエステル系合成繊維等の適宜の合成繊維で編織成されており、また不織布１８は、ポリアクリルニトリル系繊維（２０％）と吸水性ポリアクリルニトリル系繊維（８０％）を混合したもので形成するか、或いはビスコースレイヨンの強化繊維で形成するようにしてある。従って肌側に接する吸水性の起毛生地１７及び不織布１８を介して尿などの体液が迅速に且つ完全に吸収されるのである。
【００１３】
更に防水性生地２０及び撥水性のテープ生地２７、２８は、夫々天然繊維若しくは合成繊維等で編成されたニット生地とポリウレタン系熱可塑性樹脂フィルムとをラミネート加工して得られたラミネート加工生地で形成するようにしてあり、また縫製用ミシン糸は、ポリエステル系合成繊維などの合成繊維糸条に撥水加工を施したものが使用されるようにしてある。尚、吸水性の起毛生地１７及び不織布１８の夫々の側方部及び裏面側が、防水性生地２０によって完全に包囲されているので、起毛生地１７及び不織布１８側に尿などの体液が滲み出したり、或いは縫目に沿って同体液が伝藩し、滲み出すような事象が生じても、防水性生地２０を介して体液の外部への漏れが完全に遮断されるのである、従って尿などの体液が、縫糸若しくはミシンの穿孔穴に沿って股部４側に伝藩し、滲み出すような恐れがなく、完全に阻止されるのである。
【００１４】
また前記失禁用部材５に設けてある分離片３１、３２は、夫々天然繊維若しくは合成繊維等で編成されたニット生地とポリウレタン系熱可塑性樹脂フィルムとをラミネート加工して得られたラミネート加工生地で形成されるようにしてある。従って失禁用部材５の縫目側から万一、尿などの体液が滲み出るようなことがあっても、同体液が、防水性或いは撥水性に富んだ分離片３１又は３２を介して外部への滲み出しが完全に阻止されるのである。しかしながら縫目３４、３３からの滲み出しは発生する場合がある。
【００１５】
このため前記失禁用部材５に接続、縫着した分離片３１、３２の裏面側に夫々重合状に設けて同形状の遮断片４１、５５は、前記同様に天然繊維若しくは合成繊維等で編成されたニット生地とポリウレタン系熱可塑性樹脂フィルムとをラミネート加工して得られたラミネート加工生地で形成されようにしてある。従って失禁用部材５と分離片３１、３２との縫目３３、３４側から万一、尿などの体液が滲み出るようなことがあっても、遮断片４１、５５を介して尿などの漏れが確実に阻止され、従って股部４の前身又は後身頃側の縫着部４５、５７の部位側に伝藩し、滲み出すような恐れは全くなく、股部４の清潔感が保持されるのである。
【００１６】
尚、前記遮断片４１、５５の幅Ｌを分離片３１、３２の幅Ｋよりも幅広とすることが好ましいのである。幅広とすることにより、遮断片のまくれなどにより縫目２６、２７と股下布１３との接触などによる股下布１３への体液の滲み出しや漏れを確実に阻止でき、股部の清潔感や着用感がより保持されるのである。このために、遮断片４１、５５とを連結して一枚の布で構成し分離布と股下布１３を完全に遮断しても良い。また本発明では、失禁用ショーツの他に生理用ショーツやブリーフなどに適用される紳士用失禁用パンツなど各種のパンツ類に広く適用できるものである。
【００１７】
【発明の効果】
本発明は、吸水性パッドの側方部及び裏面側を防水性生地で包囲し、同部材の前、後端縁部に夫々撥水性細幅生地による分離片を縫着し、更に股部用生地の前身及び後身側端縁部上に前身頃及び後身頃用生地の下端部を夫々重合し吸水性パッド側面からの防水を図り、更に同前、後身頃の下端部上に前記分離片を夫々重合し吸水性パッドと股下布を直接縫合しないようにして縫目からの防水を図り、更に同分離片と股下布間に撥水性細幅状生地による遮断片を夫々重合し分離片縫合縫目からの染み出しを遮断することにより常に清潔で着用感に優れた失禁用パンツが得られるのである。
【図面の簡単な説明】
【図１】本発明における失禁用パンツの概略正面図である。
【図２】本発明における多層構造による吸水性パッドの概略斜視図である
【図３】本発明における吸水性パッドの上面に防水性生地を戴置し、両側方を縫着した状態の概略斜視図である。
【図４】図３における吸水性パッドと防水性生地を裏返しした状態の概略斜視図である。
【図５】本発明における吸水性パッドの側方部及び裏面側を防水性生地で包囲して形成した失禁用部材の前、後身頃側端縁部にテープ状生地を縫着した状態の縫着説明用概略平面図である。
【図６】失禁用部材の前、後身頃側端縁部に細幅生地による分離片を縫着した状態の縫着説明用概略平面図である。
【図７】本発明における前身頃用生地、股部用生地及び後身頃用生地の展開図を示した概略平面図である。
【図８】本発明における股部用生地、前身頃用生地、失禁用部材の前身側に縫着された分離片及び遮断片の夫々の前身側端縁部を重合して縫着する際の縫着説明用概略平面図である。
【図９】本発明における股部用生地、後身頃用生地、失禁用部材の後身側に縫着された分離片並びに遮断片の夫々の後身側端縁部を重合して縫着する際の縫着説明用概略平面図である。
【図１０】本発明における前身頃用生地、股部用生地及び後身頃用生地と失禁用部材に縫着された分離片並びに遮断片を一体的に接続、縫着した状態の　縫着説明用平面展開図である。
【図１１】図１０のＸ―Ｘ断面における縫着説明用概略断面模式図である。
【符号の説明】
１　失禁用ショーツ
１１　前身頃用生地
１２　後身頃用生地
１３　股部用生地
１７　起毛生地
１８　不織布
２０　防水性生地
３１、３２　分離片
４１、５５　遮断片
【図１】
2004105485.tif 000003
【図２】
2004105485.tif 000004
【図３】
2004105485.tif 000005
【図４】
2004105485.tif 000006
【図５】
2004105485.tif 000007
【図６】
2004105485.tif 000008
【図７】
2004105485.tif 000009
【図８】
2004105485.tif 000010
【図９】
2004105485.tif 000011
【図１０】
2004105485.tif 000012
【図１１】
2004105485.tif 000013